(57)【要約】【課題】書込み動作の駆動電圧マージンを狭めることなく書込み放電を安定して発生させることができるプラズマディスプレイパネルの駆動方法を提供する。【解決手段】背面基板上に主放電セルのそれぞれを区画するとともにプライミング放電セルを区画するように設けた隔壁を備え、隔壁の頂部は前面基板に当接するように形成する。駆動方法は、奇数ライン書込み期間においては奇数走査電極ＳＣpには走査パルスＶａを順次印加し偶数維持電極ＳＵp+1には奇数走査電極ＳＣpとの間にプライミング放電を生じさせるための電圧Ｖｑを印加し、偶数ライン書込み期間においては偶数走査電極ＳＣp+1には走査パルスＶａを順次印加し奇数維持電極ＳＵpには偶数走査電極ＳＣp+1との間にプライミング放電を生じさせるための電圧Ｖｑを印加する。【選択図】図４
2005250318.tif 000002
【特許請求の範囲】
【請求項１】
第１の基板と、
前記第１の基板上にあって、平行に配置した走査電極および維持電極からなる複数の表示電極対と、
放電空間を挟んで前記第１の基板に対向配置された第２の基板と、
前記第２の基板上にあって、前記表示電極対と交差する方向に配置した複数のデータ電極と、
前記第１の基板と前記第２の基板の間にあって、主放電を発生させる主放電セル、およびプライミング放電を発生させるプライミング放電セルを区画するように設けた隔壁とを備えたプラズマディスプレイパネルの駆動方法であって、
１フィールドを初期化期間、書込み期間および維持期間を有する複数のサブフィールドで構成し、
前記書込み期間は奇数番目の走査電極に対応する主放電セルの書込み動作を行う奇数ライン書込み期間と、偶数番目の走査電極に対応する主放電セルの書込み動作を行う偶数ライン書込み期間とを有し、
前記奇数ライン書込み期間において、奇数番目の走査電極に走査パルスを順次印加するとともに、偶数番目の維持電極に前記走査パルスを印加した奇数番目の走査電極との間に前記プライミング放電セル内でプライミング放電を生じさせるための電圧を印加し、
前記偶数ライン書込み期間において、偶数番目の走査電極に走査パルスを順次印加するとともに、奇数番目の維持電極に前記走査パルスを印加した偶数番目の走査電極との間に前記プライミング放電セル内でプライミング放電を生じさせるための電圧を印加し、
前記維持期間において、奇数番目の走査電極と偶数番目の維持電極とに略同一の位相をもつ維持パルス電圧を印加するとともに、偶数番目の走査電極と奇数番目の維持電極とに略同一の位相をもつ維持パルス電圧を印加する
ことを特徴とするプラズマディスプレイパネルの駆動方法。
【発明の詳細な説明】
【技術分野】
【０００１】
本発明は、壁掛けテレビや大型モニター等に用いられるプラズマディスプレイパネルの駆動方法に関する。
【背景技術】
【０００２】
プラズマディスプレイパネル（以下、ＰＤＰあるいはパネルと略記する）は、大画面、薄型、軽量であることを特徴とする視認性に優れた表示デバイスである。
【０００３】
ＰＤＰとして代表的な交流面放電型パネルは、対向配置された前面板と背面板との間に多数の放電セルが形成されている。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、サブフィールド法、すなわち１フィールド期間を複数のサブフィールドに分割した上で、発光させるサブフィールドの組み合わせによって階調表示を行う方法が一般的である。ここで、各サブフィールドは初期化期間、書込み期間および維持期間を有する。
【０００５】
初期化期間では、すべての放電セルで一斉に初期化放電を行い、それ以前の個々の放電セルに対する壁電荷の履歴を消すとともに、つづく書込み動作のために必要な壁電荷を形成する。加えて、放電遅れを小さくし書込み放電を安定して発生させるためのプライミング（放電のための起爆剤＝励起粒子）を発生させるという働きをもつ。書込み期間では、走査電極に順次走査パルスを印加するとともに、データ電極には表示すべき画像信号に対応した書込みパルスを印加し、走査電極とデータ電極との間で選択的に書込み放電をおこし、選択的な壁電荷形成を行う。つづく維持期間では、走査電極と維持電極との間に所定の回数の維持パルスを印加し、書込み放電による壁電荷形成を行った放電セルを選択的に放電させ発光させる。
【０００６】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電をおこり難くしていること等、書込み放電に関しては放電遅れを大きくする要因が多い。したがって、書込み放電を安定して発生させるためのプライミングが非常に重要となる。
【０００７】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足して放電遅れが大きくなり、書込み動作が不安定になって画像表示品質が低下するといった問題があった。あるいは、書込み動作を安定して行うために書込み時間を長く設定し、その結果、書込み期間に費やす時間が大きくなりすぎるといった問題があった。
【０００８】
これらの問題を解決するために、パネルの前面板に設けたプライミング放電セルを用いてプライミングを発生させ、放電遅れを小さくするパネルとその駆動方法が提案されている（たとえば特許文献１）。
【特許文献１】特開２００２−１５０９４９号公報
【発明の開示】
【発明が解決しようとする課題】
【０００９】
しかしながら上述のパネルにおいては、隣接する放電セルが相互干渉をおこしやすく、特に書込み期間において、隣接する放電セルの書込み放電にともない発生するプライミングの影響を受けて誤書込み、あるいは書込み不良を生じるおそれがあり、そのため書込み動作の駆動電圧マージンが狭くなるという課題があった。
【００１０】
本発明のプラズマディスプレイパネルの駆動方法は、これらの課題に鑑みなされたものであり、書込み動作の駆動電圧マージンを狭めることなく書込み放電を安定して発生させることができるプラズマディスプレイパネルの駆動方法を提供することを目的とする。
【課題を解決するための手段】
【００１１】
本発明のプラズマディスプレイパネルの駆動方法は、第１の基板と、第１の基板上にあって平行に配置した走査電極および維持電極からなる複数の表示電極対と、放電空間を挟んで第１の基板に対向配置された第２の基板と、第２の基板上にあって表示電極対と交差する方向に配置した複数のデータ電極と、第１の基板と第２の基板の間にあって主放電を発生させる主放電セルおよびプライミング放電を発生させるプライミング放電セルを区画するように設けた隔壁とを備えたプラズマディスプレイパネルの駆動方法であって、１フィールドを初期化期間、書込み期間および維持期間を有する複数のサブフィールドで構成し、書込み期間は奇数番目の走査電極に対応する主放電セルの書込み動作を行う奇数ライン書込み期間と偶数番目の走査電極に対応する主放電セルの書込み動作を行う偶数ライン書込み期間とを有し、奇数ライン書込み期間において奇数番目の走査電極に走査パルスを順次印加するとともに偶数番目の維持電極に走査パルスを印加した奇数番目の走査電極との間にプライミング放電セル内でプライミング放電を生じさせるための電圧を印加し、偶数ライン書込み期間において偶数番目の走査電極に走査パルスを順次印加するとともに奇数番目の維持電極に走査パルスを印加した偶数番目の走査電極との間にプライミング放電セル内でプライミング放電を生じさせるための電圧を印加し、維持期間において奇数番目の走査電極と偶数番目の維持電極とに略同一の位相をもつ維持パルス電圧を印加するとともに偶数番目の走査電極と奇数番目の維持電極とに略同一の位相をもつ維持パルス電圧を印加することを特徴とする。この駆動方法により、書込み動作の駆動電圧マージンを狭めることなく書込み放電を安定して発生させることができる。
【発明の効果】
【００１２】
本発明によれば、書込み動作の駆動電圧マージンを狭めることなく書込み放電を安定して発生させることができるプラズマディスプレイパネルの駆動方法を提供することができる。
【発明を実施するための最良の形態】
【００１３】
（実施の形態）
以下、本発明の実施の形態におけるパネルについて、図面を用いて説明する。
【００１４】
図１は本発明の実施の形態におけるパネルの構造を示す分解斜視図であり、図２は同パネルの断面図である。第１の基板であるガラス製の前面基板２１と第２の基板である背面基板３１とが放電空間を挟んで対向配置され、放電空間には放電によって紫外線を放射するネオンとキセノンとの混合ガスが封入されている。
【００１５】
前面基板２１上には、走査電極２２と維持電極２３とからなる表示電極対が互いに平行に複数対形成されている。このとき、走査電極２２、維持電極２３は、維持電極２３−走査電極２２−維持電極２３−走査電極２２−・・・となるように１本ずつ交互に配列されている。走査電極２２と維持電極２３はそれぞれ透明電極２２ａ、２３ａと、透明電極２２ａ、２３ａ上に形成された金属母線２２ｂ、２３ｂとから構成されている。隣接する表示電極対の間には黒色材料からなる光吸収層２８が設けられている。走査電極２２の金属母線２２ｂの突出部分２２ｂ’および維持電極２３の金属母線２３ｂの突出部分２３ｂ’は光吸収層２８上にまで突出して形成されている。そして、これらの走査電極２２、維持電極２３および光吸収層２８とを覆うように誘電体層２４および保護層２５が形成されている。
【００１６】
背面基板３１上には、走査電極２２および維持電極２３と交差する方向にデータ電極３２が互いに平行に複数形成され、そしてデータ電極３２を覆うように誘電体層３３が形成されている。そして誘電体層３３の上に主放電セル４０を区画するための隔壁３４が形成されている。
【００１７】
隔壁３４は、データ電極３２と平行な方向に延びる縦壁部３４ａと、主放電セル４０を形成するとともに主放電セル４０の間に隙間部４１を形成する横壁部３４ｂとで構成されている。その結果、隔壁３４は一対の走査電極と維持電極とからなる表示電極対に沿って主放電セル４０を複数連結した主放電セル行を形成し、隣接した主放電セル行の間に隙間部４１を生じる。隙間部４１には走査電極２２の突出部分２２ｂ’と維持電極２３の突出部分２３ｂ’が形成されており、この隙間部４１はプライミング放電セルとして働く。以下、隙間部４１をプライミング放電セル４１と記す。
【００１８】
そして、これら隔壁３４の頂部は前面基板２１に当接するように平坦に形成されている。これは、隣接する放電セルの相互干渉を防ぐためであり、特に書込み期間において隣接する放電セルの書込み放電にともない発生するプライミングの影響を受けて誤書込みを生じる等の誤動作を防ぐためである。さらには、プライミング放電にともない、プライミング放電セル４１に隣接する主放電セル４０の壁電荷が減少し書込み不良を生じる等の誤動作を防ぐためである。本発明の実施の形態においては、隔壁３４の段差が１０μｍ以下となるように形成している。この値は、１０μｍを超えると隣り合う主放電セル４０間の相互干渉が発生し、プライミング放電セル４１と主放電セル４０との相互干渉が発生するという実験結果にもとづく値である。
【００１９】
そして、隔壁３４により区画された主放電セル４０に対応する誘電体層３３の表面と隔壁３４の側面とに蛍光体層３５が設けられている。なお、図１ではプライミング放電セル４１側に蛍光体層３５を形成していないが、蛍光体層３５を形成する構成としてもよい。
【００２０】
なお、上述の説明ではデータ電極３２を覆うように誘電体層３３が形成されているが、この誘電体層３３は形成しなくてもよい。
【００２１】
図３は本発明の実施の形態におけるパネルの電極配列図である。列方向にｍ列のデータ電極Ｄ1〜Ｄm（図１のデータ電極３２）が配列され、行方向にｎ行の走査電極ＳＣ1〜ＳＣn（図１の走査電極２２）とｎ行の維持電極ＳＵ1〜ＳＵn（図１の維持電極２３）とが維持電極ＳＵ1−走査電極ＳＣ1−維持電極ＳＵ2−走査電極ＳＣ2−・・・となるように１本ずつ交互に配列されている。そして、本発明の実施の形態においては、プライミング放電セル４１内で隣り合う走査電極ＳＣiと維持電極ＳＵi+1（ｉ＝１〜ｎ）との突出部分（図１の突出部分２２ｂ’、２３ｂ’）との間でプライミング放電を行う。
【００２２】
そして、一対の走査電極ＳＣi、維持電極ＳＵiと一つのデータ電極Ｄj（ｊ＝１〜ｍ）とを含む主放電セルＣi,j（図１の主放電セル４０）が放電空間内にｍ×ｎ個形成される。また走査電極ＳＣiの突出部分と維持電極ＳＵi+1の突出部分とを含むプライミング放電セルＰＳi（図１のプライミング放電セル４１）が形成される。
【００２３】
つぎに、パネルを駆動するための駆動波形とそのタイミングについて、パネルの動作とともに説明する。
【００２４】
図４は、本発明の実施の形態におけるパネルの駆動波形図である。このように実施の形態においては、１フィールド期間が初期化期間、書込み期間、維持期間を有する複数のサブフィールドから構成されており、書込み期間は、奇数番目の走査電極（以下、奇数走査電極と略記する）をもつ主放電セルの書込み動作を行う奇数ライン書込み期間と、偶数番目の走査電極（以下、偶数走査電極と略記する）をもつ主放電セルの書込み動作を行う偶数ライン書込み期間とを有し、奇数走査電極と偶数走査電極との書込み動作を時間的に分離して行う。これは以下に詳細に説明するように、壁電荷を用いてプライミング放電を順次継続して安定して発生させるためである。またこれにより、放電セルの相互作用の影響、特に書込み期間において垂直方向に隣接する主放電セルの影響を小さくすることもできる。
【００２５】
まず、初期化期間前半部では、データ電極Ｄ1〜Ｄmおよび維持電極ＳＵ1〜ＳＵnをそれぞれ０（Ｖ）に保持し、走査電極ＳＣ1〜ＳＣnには、維持電極ＳＵ1〜ＳＵnに対して放電開始電圧以下の電圧Ｖｉ1から、放電開始電圧を超える電圧Ｖｉ2に向かって緩やかに上昇する傾斜波形電圧を印加する。主放電セルＣi,jおよびプライミング放電セルＰＳi内では、この傾斜波形電圧が上昇する間に、走査電極ＳＣ1〜ＳＣnと維持電極ＳＵ1〜ＳＵn、データ電極Ｄ1〜Ｄmとの間でそれぞれ１回目の微弱な初期化放電がおこる。そして、走査電極ＳＣ1〜ＳＣn上部に負の壁電圧が蓄積されるとともに、データ電極Ｄ1〜Ｄm上部および維持電極ＳＵ1〜ＳＵn上部には正の壁電圧が蓄積される。ここで、電極上部の壁電圧とは電極を覆う誘電体層上または蛍光体層上に蓄積された壁電荷により生じる電圧をあらわす。
【００２６】
初期化期間後半部では、維持電極ＳＵ1〜ＳＵnを正電圧Ｖｅに保ち、走査電極ＳＣ1〜ＳＣnには、維持電極ＳＵ1〜ＳＵnに対して放電開始電圧以下となる電圧Ｖｉ3から放電開始電圧を超える電圧Ｖｉ4に向かって緩やかに下降する傾斜波形電圧を印加する。主放電セルＣi,jおよびプライミング放電セルＰＳi内では、この間に、走査電極ＳＣ1〜ＳＣnと維持電極ＳＵ1〜ＳＵn、データ電極Ｄ1〜Ｄmとの間でそれぞれ２回目の微弱な初期化放電がおこる。そして、走査電極ＳＣ1〜ＳＣn上部の負の壁電圧および維持電極ＳＵ1〜ＳＵn上部の正の壁電圧が弱められ、データ電極Ｄ1〜Ｄm上部の正の壁電圧は書込み動作に適した値に調整される。
【００２７】
奇数ライン書込み期間では、奇数走査電極ＳＣp（Ｐ＝奇数）を一旦電圧Ｖｃに保持する。そして、偶数維持電極ＳＵp+1には、隣接する奇数走査電極ＳＣpとの間でプライミング放電セルＰＳp内部に放電を生じさせるための電圧Ｖｑを印加する。つぎに、１番目の走査電極ＳＣ1に走査パルス電圧Ｖａを印加すると、プライミング放電セルＰＳ1内において２番目の維持電極ＳＵ2との間でプライミング放電が発生し、主放電セルＣ1,1〜Ｃ1,m内部にプライミングが供給される。このとき、表示すべき画像信号に対応するデータ電極Ｄk（ｋは１〜ｍの整数）に正の書込みパルスＶｄを印加すると、データ電極Ｄkと走査電極ＳＣ1との交差部で放電が発生し、対応する主放電セルＣ1,kの維持電極ＳＵ1と走査電極ＳＣ1との間の放電に進展する。そして主放電セルＣ1,k内の走査電極ＳＣ1上部に正の壁電圧が蓄積され、維持電極ＳＵ1上部に負の壁電圧が蓄積され、１行目の書込み動作が終了する。なお、このとき、プライミング放電セルＰＳ1内部の走査電極ＳＣ1上部には正の壁電圧が蓄積され、維持電極ＳＵ2上部には負の壁電圧が蓄積される。
【００２８】
以下同様に奇数番目の主放電セルＣ3,k，Ｃ5,k，・・・について書込み動作を行う。
【００２９】
偶数ライン書込み期間では、偶数走査電極ＳＣp+1を一旦電圧Ｖｃに保持する。そして、奇数維持電極ＳＵpには、隣接する偶数走査電極ＳＣp+1との間でプライミング放電セルＰＳp+1内部に放電を生じさせるための電圧Ｖｑを印加する。そして、２番目の走査電極ＳＣ2に走査パルス電圧Ｖａを印加すると、プライミング放電セルＰＳ3内において２番目の走査電極ＳＣ2との間でプライミング放電が発生する。そして、主放電セルＣ2,1〜Ｃ2,m内部にプライミングが供給される。このとき、表示すべき画像信号に対応するデータ電極Ｄkに正の書込みパルスＶｄを印加すると、データ電極Ｄkと走査電極ＳＣ2との交差部で放電が発生し、対応する主放電セルＣ2,kの維持電極ＳＵ2と走査電極ＳＣ2との間の放電に進展する。そして主放電セルＣ2,k内の走査電極ＳＣ2上部に正の壁電圧が蓄積され、維持電極ＳＵ2上部に負の壁電圧が蓄積され、２行目の書込み動作が終了する。なお、このとき、プライミング放電セルＰＳ2内部の走査電極ＳＣ2上部には正の壁電圧が蓄積され、維持電極ＳＵ3上部には負の壁電圧が蓄積される。
【００３０】
以下同様に偶数番目の主放電セルＣ4,k，Ｃ6,k，・・・について書込み動作を行い、書込み期間を終了する。
【００３１】
維持期間では、走査電極ＳＣ1〜ＳＣnおよび維持電極ＳＵ1〜ＳＵnを０（Ｖ）に一旦戻した後、奇数走査電極ＳＣpと偶数維持電極ＳＵp+1とに正の維持パルス電圧Ｖｓを印加する。このとき、書込み放電をおこした主放電セルＣp,kにおける走査電極ＳＣp上部と維持電極ＳＵp上部との間の電圧は、正の維持パルス電圧Ｖｓに加えて、書込み期間において走査電極ＳＣp上部および維持電極ＳＵp上部に蓄積された壁電圧が加算されて、放電開始電圧より大きくなる。これにより、奇数番目の主放電セルＣp,kにおいて維持放電が発生する。つぎに、奇数走査電極ＳＣpと偶数維持電極ＳＵp+1を０（Ｖ）に戻し、偶数走査電極ＳＣp+1と奇数維持電極ＳＵpとに正の維持パルス電圧Ｖｓを印加する。このとき、書込み放電をおこした主放電セルＣi,kにおける走査電極ＳＣi上部と維持電極ＳＵi上部との間の電圧は、正の維持パルス電圧Ｖｓに加えて、書込み期間において走査電極ＳＣi上部および維持電極ＳＵi上部に蓄積された壁電圧が加算されて、放電開始電圧より大きくなる。これにより、奇数番目および偶数番目の主放電セルＣi,kにおいて維持放電が発生する。以降、奇数走査電極ＳＣpと偶数維持電極ＳＵp+1とに略同一の位相をもち、偶数走査電極ＳＣp+1と奇数維持電極ＳＵpとに略同一の位相をもつ維持パルス電圧を交互に印加することにより、書込み放電をおこした主放電セルＣi,kに対して維持パルスの回数だけ維持放電が継続して行われる。
【００３２】
維持期間の最後では、偶数走査電極ＳＣp+1と奇数維持電極ＳＵpを０（Ｖ）に戻し、偶数維持電極ＳＵp+1のみに正の維持パルス電圧Ｖｓを印加する。すると、書込み放電をおこした主放電セルＣp+1,kにおいてのみ維持放電が発生する。そして、偶数維持電極ＳＵp+1を０（Ｖ）に戻した後、奇数および偶数走査電極ＳＣiに幅の細い維持パルス電圧Ｖｓを印加して消去放電を発生させ維持放電を終える。なお、このとき、プライミング放電セルＰＳi内部の走査電極ＳＣi上部および維持電極ＳＵi上部に蓄積している壁電圧も同時に消去される。
【００３３】
つづくサブフィールドの初期化期間では、維持電極ＳＵ1〜ＳＵnを正電圧Ｖｅに保ち、走査電極ＳＣ1〜ＳＣnには電圧Ｖｉ4に向かって緩やかに下降する傾斜波形電圧を印加する。すると、維持放電を行った主放電セルＣi,kの走査電極ＳＣ1〜ＳＣnと維持電極ＳＵ1〜ＳＵn、データ電極Ｄ1〜Ｄmとの間でそれぞれ微弱な初期化放電がおこる。そして、走査電極ＳＣ1〜ＳＣn上部および維持電極ＳＵ1〜ＳＵn上部の壁電圧が弱められ、データ電極Ｄ1〜Ｄm上部の正の壁電圧は書込み動作に適した値に調整される。
【００３４】
この後の書込み期間、維持期間、およびつづくサブフィールドの駆動波形およびパネルの動作は上述と同様である。
【００３５】
ここで、プライミング放電セルの動作に注目して再度その動作について説明する。まず、サブフィールドの奇数ライン書込み期間では、奇数走査電極ＳＣpに負電圧の走査電圧パルスＶａを印加し、偶数維持電極ＳＵp+1に正の電圧Ｖｑを印加してプライミング放電を発生させる。そして、プライミング放電セルＰＳp内の奇数走査電極ＳＣp上に正の壁電圧、偶数維持電極ＳＵp+1上に負の壁電圧が蓄積される。つづく偶数ライン書込み期間では、偶数走査電極ＳＣp+1に負電圧の走査電圧パルスＶａを印加し、奇数維持電極ＳＵpに正の電圧Ｖｑを印加してプライミング放電を発生させる。そして、プライミング放電セルＰＳp+1内の偶数走査電極ＳＣp+1上に正の壁電圧、奇数維持電極ＳＵp上に負の壁電圧が蓄積される。このように書込み期間終了時には、奇数ライン、偶数ラインにかかわらず、走査電極ＳＣn上には正の壁電圧、維持電極ＳＵn上には負の壁電圧が蓄積される。
【００３６】
つづく維持期間においては、走査電極ＳＣiに幅の細い維持パルス電圧Ｖｓを印加した際に消去放電を発生し、プライミング放電セルＰＳi内部の走査電極ＳＣi上部および維持電極ＳＵi上部に蓄積している壁電圧が消去される。
【００３７】
このように、本発明の実施の形態においては、書込み期間を奇数ライン書込み期間と偶数ライン書込み期間とに分け、プライミング放電も奇数ラインと偶数ラインとに分けることにより、隣接する放電セルの相互干渉を抑えて、書込み動作の駆動電圧マージンを狭めることなく書込み放電を安定した放電とすることができる。
【００３８】
なお、上述の動作説明においては、維持期間の最後で、奇数および偶数走査電極ＳＣiに同時に幅の細い維持パルス電圧Ｖｓを印加して消去放電を発生させたが、必ずしも消去放電を同時に発生させる必要はない。図５に、本発明の他の実施の形態におけるパネルの駆動波形図を示す。図５には奇数ライン側の消去放電を発生させた後に偶数側の消去放電を発生させる駆動波形を示している。偶数走査電極ＳＣp+1に幅の細い維持パルス電圧Ｖｓを印加するタイミングにおいて奇数維持電極ＳＵpを一旦０（Ｖ）としているのは、プライミング放電セルＰＳp+1において偶数走査電極ＳＣp+1と奇数維持電極ＳＵpとの間で消去放電を発生させるためである。
【００３９】
また、上述の動作説明においては、走査電極２２、維持電極２３は、維持電極２３−走査電極２２−維持電極２３−走査電極２２−・・・となるように配列されているものとして説明したが、走査電極２２−維持電極２３−走査電極２２−維持電極２３−・・・となるように配列されていてもよい。この場合には、１番目の走査電極ＳＣ1との間でプライミング放電を発生させるべき維持電極が存在しないが、１行目の書込み動作は初期化放電の直後に発生するためプライミング放電を省略することができる。
【００４０】
さらに、最初のサブフィールドの初期化期間はすべての主放電セルで初期化放電を行う全セル初期化動作を行い、つぎのサブフィールド以降の初期化期間は維持放電を行った主放電セルを選択的に初期化する選択初期化動作を行うものとして説明したが、これらの初期化動作は任意に組み合わせてもよい。
【産業上の利用可能性】
【００４１】
本発明のパネルの駆動方法は、書込み動作の駆動電圧マージンを狭めることなく書込み放電を安定して発生させることができるので、壁掛けテレビや大型モニター等に用いられるプラズマディスプレイパネル等として有用である。
【図面の簡単な説明】
【００４２】
【図１】本発明の実施の形態におけるパネルの構造を示す分解斜視図
【図２】同パネルの断面図
【図３】同パネルの電極配列図
【図４】同パネルの駆動波形図
【図５】本発明の他の実施の形態におけるパネルの駆動波形図
【符号の説明】
【００４３】
２１    前面基板
２２    走査電極
２２ａ，２３ａ    透明電極
２２ｂ，２３ｂ    金属母線
２２ｂ’，２３ｂ’    突出部分
２３    維持電極
２４    誘電体層
２５    保護層
２８    光吸収層
３１    背面基板
３２    データ電極
３３    誘電体層
３４    隔壁
３４ａ    縦壁部
３４ｂ    横壁部
３５    蛍光体層
４０    主放電セル
４１    隙間部（プライミング放電セル）
【図１】
2005250318.tif 000003
【図２】
2005250318.tif 000004
【図３】
2005250318.tif 000005
【図４】
2005250318.tif 000006
【図５】
2005250318.tif 000007